(57)【特許請求の範囲】
【請求項１】
生ゴミを収納する生ゴミ収納部と、前記生ゴミを加熱する加熱手段と、前記生ゴミ収納部内の温度を検知する温度検出手段と、前記温度検知手段の出力により前記加熱手段の加熱量を調整する制御装置を備え、前記制御装置は、前記温度検出手段の出力で生ゴミ収納部内の温度を第１の所定温度になるように前記加熱手段の加熱量を調整する第１の加熱期間と、その後に、前記第１の所定温度より高い第２の所定温度になるように前記加熱手段の加熱量を調整する第２の加熱期間を実施し、ご飯などの炭水化物を多く含む生ゴミを処理する場合には、通常の生ゴミを処理する場合に比べ、前記第２の加熱期間における前記加熱手段の加熱量を小さくした生ゴミ処理機。
【請求項２】
制御装置は、第１の加熱期間における加熱手段の加熱量が所定量まで低下すると第１の加熱期間を終了する請求項１記載の生ゴミ処理機。
【請求項３】
制御装置は、加熱手段をオン、オフして第１の所定温度となるように加熱量を調整するものであって、温度検知手段の出力が第１の所定温度を連続して超える時間が所定時間まで増加すると、前記加熱手段の加熱量が所定量まで低下したと判断する請求項２記載の生ゴミ処理機。
【請求項４】
制御装置は、通常の生ゴミ処理とご飯などの炭水化物を多く含む生ゴミ処理とを選択する選択手段の出力に応じて、第２の加熱期間における加熱手段の加熱量を調整する請求項１乃至３のいずれか１項に記載の生ゴミ処理機。
【請求項５】
第１の加熱期間における加熱手段の所定量もしくは第１の所定温度を連続して超える所定時間を変更する変更手段を有する請求項１乃至４のいずれか１項に記載の生ゴミ処理機。
【請求項６】
変更手段を使用者が操作可能とした請求項５記載の生ゴミ処理機。
【請求項７】
生ゴミを撹拌する撹拌手段と、前記撹拌手段を駆動する駆動手段と、前記駆動手段の電流を検知する電流検知手段を備え、前記制御装置は、前記電流検知手段の出力に応じて、ご飯などの炭水化物を多く含む生ゴミなのか、通常の生ゴミなのかを判別する請求項１乃至６のいずれか１項に記載の生ゴミ処理機。
【請求項８】
電流検知手段の電流値が所定値より大きくなると、第１の加熱期間を終了する期間を長くする請求項７記載の生ゴミ処理機。
【請求項９】
生ゴミを収納する生ゴミ収納部と、前記生ゴミを撹拌する撹拌手段と、前記生ゴミを加熱する加熱手段と、前記生ゴミ収納部内の温度を検知する温度検出手段と、前記加熱手段および前記撹拌手段の運転を制御する制御装置を備え、前記制御装置は、
前記加熱手段および前記攪拌手段を運転させる第１の運転モードと、前記攪拌手段を停止すると共に前記加熱手段を運転させる第２の運転モードを有する生ゴミ処理機。
【請求項１０】
生ゴミを収納する生ゴミ収納部と、前記生ゴミを撹拌する撹拌手段と、前記生ゴミを加熱する加熱手段と、前記生ゴミから発生する蒸気の臭いを脱臭する触媒と、前記触媒を加熱する触媒加熱手段と、前記生ゴミから発生した蒸気を前記触媒を介して排出する排出手段と、前記生ゴミ収納部内の温度を検知する温度検出手段と、前記加熱手段、前記撹拌手段、前記触媒加熱手段および排出手段の運転を制御する制御装置を備え、前記制御装置は、前記加熱手段、前記撹拌手段、前記触媒加熱手段および排出手段の全てを運転する第１の運転モードと、前記攪拌手段を停止すると共に前記加熱手段、前記触媒加熱手段および排出手段を運転させる第２の運転モードを有する生ゴミ処理機。
【請求項１１】
第２の運転モードの運転時間を使用者が設定する設定手段を有する請求項９または１０記載の生ゴミ処理機。
【請求項１２】
加熱手段を、生ゴミに送る温風を発生させる温風発生手段とした請求項１乃至１１のいずれか１項に記載の生ゴミ処理機。
【発明の詳細な説明】
【０００１】
【発明の属する技術分野】
本発明は生ゴミを乾燥させ減量処理する生ゴミ処理機に関するものである。
【０００２】
【従来の技術】
従来から生ゴミを乾燥させて減量処理するための生ゴミ処理機が提案されている。この種の生ゴミ処理機の構成を、図６により説明する。図６において、１は乾燥減量したい生ゴミを収納する収納部で、生ゴミは生ゴミ投入用の蓋２を開けて投入される。収納部１の内部には回転自在の攪拌軸３に、先端に攪拌板４をつけた複数のアーム５を有する生ゴミを攪拌する攪拌手段６を配し、攪拌手段６はチェーン９を介して生ゴミ処理機の本体７の底部に取付けた駆動手段であるモータ８により回転駆動される。
【０００３】
収納部１の上部には温度検出手段１４の出力で収納部１内の温度を所定温度になるように温度調整をおこなう加熱手段１０と、送風手段である乾燥ファン１１、それらを覆うと共に底部に複数の孔１２ａを有するカバー１２が設けられており、乾燥ファン１１は本体７の内部に設けてある乾燥ファンモータ１３により回転する。
【０００４】
１８は排気の臭いを脱臭する触媒１９の手前に設けてある触媒加熱手段であり、前記触媒加熱手段は排出孔１６を有する触媒ケース１７内に配設されている。収納部１の生ゴミを攪拌手段６で粉砕、攪拌しながら加熱手段１０と乾燥ファン１１により発生する熱風で生ゴミを乾燥させる時に発生する蒸気を、排出モータ２１に取付けられた排出ファン２２の運転で排気部２０より排出させるものである。
【０００５】
また１５はモータ８、加熱手段１０、乾燥ファンモータ１３、触媒加熱手段１８、排出モータ２１を制御する制御装置であり、図７に示すように、運転開始から生ゴミ収納部１の生ゴミを所定時間の正転、停止、逆転を繰り返す攪拌手段６で粉砕、攪拌しながら温度検出手段１４の出力で生ゴミ収納部１内温度を予め設定してあるＴ１になるように加熱手段１０の加熱量制御を行い、加熱手段１０のＯＦＦ時間あるいは最小加熱量状態の時間が所定時間ｔ１より長くなると、加熱手段１０を第２の設定温度Ｔ２になるまでＯＮあるいは加熱量を最大加熱量状態にして、処理時間短縮のため、生ゴミを加熱する熱量を増加させ乾燥終了していた。
【０００６】
【発明が解決しようとする課題】
しかしながら、上記従来の生ゴミ処理機では、ご飯類が多い生ゴミを乾燥処理する場合には、生ゴミ内部まで十分には乾燥できず、ゴミ表面のみが乾燥された状態となり、団子状態で乾燥が終了して、次回運転させる場合、団子状態の乾燥ごみがコチコチに固まってモータ８がロックして乾燥ごみを別に取り除かなければならず、使い勝手が非常に悪い場合があった。
【０００７】
本発明はこのような上記従来の課題を解決するものであり、ご飯の多い生ゴミを処理しても、団子状になりにくくするとともに、万一団子状になったとしても簡単にモータのロックを解除できる使い勝手のよい生ゴミ処理機を提供することを目的とするものである。
【０００８】
【課題を解決するための手段】
上記課題を解決するために本発明は、生ゴミを収納する生ゴミ収納部と、前記生ゴミを加熱する加熱手段と、前記生ゴミ収納部内の温度を検知する温度検出手段と、前記温度検知手段の出力により前記加熱手段の加熱量を調整する制御装置を備え、前記制御装置は、前記温度検出手段の出力で生ゴミ収納部内の温度を第１の所定温度になるように前記加熱手段の加熱量を調整する第１の加熱期間と、その後に、前記第１の所定温度より高い第２の所定温度になるように前記加熱手段の加熱量を調整する第２の加熱期間を実施し、ご飯などの炭水化物を多く含む生ゴミを処理する場合には、通常の生ゴミを処理する場合に比べ、前記第２の加熱期間における前記加熱手段の加熱量を小さくしたものである。
【０００９】
この構成によれば、ご飯類などの炭水化物を多く含む生ゴミを処理する場合は、第２の加熱期間における加熱手段の加熱量を小さくしているので、第２の所定温度に到達するまでの時間が長くなり、ご飯類などの炭水化物を多く含む生ゴミでも十分に乾燥され、ご飯類などの炭水化物を多く含む生ゴミでも団子状にならない、使用性の高い生ゴミ処理機が提供できる。
【００１０】
【発明の実施の形態】
本発明の請求項１記載の発明は、生ゴミを収納する生ゴミ収納部と、前記生ゴミを加熱する加熱手段と、前記生ゴミ収納部内の温度を検知する温度検出手段と、前記温度検知手段の出力により前記加熱手段の加熱量を調整する制御装置を備え、前記制御装置は、前記温度検出手段の出力で生ゴミ収納部内の温度を第１の所定温度になるように前記加熱手段の加熱量を調整する第１の加熱期間と、その後に、前記第１の所定温度より高い第２の所定温度になるように前記加熱手段の加熱量を調整する第２の加熱期間を実施し、ご飯などの炭水化物を多く含む生ゴミを処理する場合には、通常の生ゴミを処理する場合に比べ、前記第２の加熱期間における前記加熱手段の加熱量を小さくしたものである。
【００１１】
この構成によれば、ご飯類などの炭水化物を多く含む生ゴミを処理する場合は、第２の加熱期間における加熱手段の加熱量を小さくしているので、第２の所定温度に到達するまでの時間が長くなり、ご飯類などの炭水化物を多く含む生ゴミでも十分に乾燥され、ご飯類などの炭水化物を多く含む生ゴミでも団子状にならない、使用性の高い生ゴミ処理機が提供できる。
【００１２】
本発明の請求項２記載の発明は、請求項１記載の発明において、制御装置は、第１の加熱期間における加熱手段の加熱量が所定量まで低下すると第１の加熱期間を終了するものである。
【００１３】
この構成によれば、生ゴミの乾燥が進行するにつれて、第１の所定温度を維持するための加熱手段の加熱量が低下してくる。したがって、乾燥がある程度進むと、加熱手段の加熱量は低下しており、この加熱量が所定量となった時点で第１の加熱期間を終了し、第２の加熱期間に移行する。この第２の加熱期間では乾燥時間を短縮する期間で、そのため、第１の加熱期間における第１の所定温度より高い第２の所定温度まで上昇させる。一般に通常の生ゴミであれば、加熱手段の加熱量を最大にすることで乾燥時間の短縮が図れるが、ご飯などの炭水化物を多く含む生ゴミでは第２の加熱期間における加熱手段の加熱量を小さくして、第２の所定温度に到達するまで時間が長くとる。このことにより、第２の加熱期間でご飯などの炭水化物を多く含む生ゴミでも十分に乾燥され、ご飯などの炭水化物を多く含む生ゴミでも団子状にならない。
【００１４】
本発明の請求項３記載の発明は、請求項２記載の発明において、制御装置は、加熱手段をオン、オフして第１の所定温度となるように加熱量を調整するものであって、温度検知手段の出力が第１の所定温度を連続して超える時間が所定時間まで増加すると、前記加熱手段の加熱量が所定量まで低下したと判断するものである。
【００１５】
つまり、加熱手段の加熱量が所定量を低下するための具体構成を提供しているものであり、加熱手段を第１の所定温度になるようにオン、オフ制御することを前提とし、このような加熱制御においては、生ゴミの乾燥が進行するにつれてオン時間が減少し、オフ時間が増加してくる。温度検知手段の出力が第１の所定温度を超えている場合には加熱手段をオフするので、乾燥が進行してくると、加熱手段のオフ時間、つまり、温度検知手段の出力が連続して第１の所定温度を超えている時間が長くなる。したがって、温度検知手段の出力が第１の所定温度を連続して超える時間が所定時間まで増加すると、前記加熱手段の加熱量が所定量まで低下したと判断できる。
【００１６】
本発明の請求項４記載の発明は、請求項１乃至３のいずれか１項に記載の発明において、制御装置は、通常の生ゴミ処理とご飯などの炭水化物を多く含む生ゴミ処理とを選択する選択手段の出力に応じて、第２の加熱期間における加熱手段の加熱量を調整するものである。
【００１７】
この構成によれば、使用者が処理する生ゴミを判断し、ご飯などの炭水化物を多く含む生ゴミの場合には、ご飯などの炭水化物を多く含む生ゴミ処理を選択するだけで、乾燥ゴミが大きな団子になるのを防止でき、通常の生ゴミの場合には通常の生ゴミ処理を洗濯するだけで、短時間処理が可能となり、使い勝手の良い生ゴミ処理機が提供できる。。
【００１８】
本発明の請求項５記載の発明は、請求項１乃至４のいずれか１項に記載の発明において、第１の加熱期間における加熱手段の所定量もしくは第１の所定温度を連続して超える所定時間を変更する変更手段を有するものである。
【００１９】
この構成によれば、変更手段により第１の加熱期間における加熱手段の所定量を大きくする、もしくは第１の所定温度を連続して超える所定時間を長くできるので、第１の加熱期間を長くすることができ、生ゴミを加熱乾燥する時間が長くなり、ご飯などの炭水化物を多く含む生ゴミでも十分に乾燥され、団子状にならない使用性の高い生ゴミ処理機が提供できる。
【００２０】
本発明の請求項６記載の発明は、請求項５記載の発明において、変更手段を使用者が操作可能としたもので、使用者が生ゴミ収納部に投入する生ゴミを判断し、ご飯などの炭水化物を多く含む生ゴミで、しかもその生ゴミに含まれる炭水化物が極めて多いと判断した場合、変更手段により第１の加熱期間における加熱手段の所定量を大きくする、もしくは第１の所定温度を連続して超える所定時間を長くできるので、生ゴミに含まれる炭水化物の量に応じてきめ細かな乾燥制御が行える。
【００２１】
本発明の請求項７記載の発明は、請求項１乃至６のいずれか１項に記載の発明において、生ゴミを撹拌する撹拌手段と、前記撹拌手段を駆動する駆動手段と、前記駆動手段の電流を検知する電流検知手段を備え、前記制御装置は、前記電流検知手段の出力に応じて、ご飯などの炭水化物を多く含む生ゴミなのか、通常の生ゴミなのかを判別するものである。
【００２２】
この構成によれば、ご飯などの炭水化物を多く含む生ゴミを撹拌する場合には、通常の生ゴミを撹拌する場合より駆動手段の電流値が大きくなることを電流検知手段で検知し、ご飯などの炭水化物を多く含む生ゴミと判別すると、通常の生ゴミと判別した場合より第２の加熱期間における加熱手段の加熱量を小さくする。
【００２３】
本発明の請求項８記載の発明は、請求項７記載の発明において、電流検知手段の電流値が所定値より大きくなると、第１の加熱期間を終了する期間を長くするもので、第２の加熱期間における加熱量を小さくして加熱乾燥時間を長くすると共に、第１の加熱期間における期間も長くし、加熱乾燥時間を長くすることで、ご飯類など炭水化物を多く含む生ゴミでも十分に乾燥され、団子状にならない使用性の高い生ゴミ処理機が提供できる。また、第１の加熱期間を長くする具体構成としては、請求項５記載の発明のように、第１の加熱期間における加熱手段の所定量を大きくする、もしくは第１の所定温度を連続して超える所定時間を長くすることで、第１の加熱期間を終了するタイミングを遅らせることができる。
【００２４】
本発明の請求項９記載の発明は、生ゴミを収納する生ゴミ収納部と、前記生ゴミを撹拌する撹拌手段と、前記生ゴミを加熱する加熱手段と、前記生ゴミ収納部内の温度を検知する温度検出手段と、前記加熱手段および前記撹拌手段の運転を制御する制御装置を備え、前記制御装置は、前記加熱手段および前記攪拌手段を運転させる第１の運転モードと、前記攪拌手段を停止すると共に前記加熱手段を運転させる第２の運転モードを有するものである。
【００２５】
この構成によれば、万一ご飯などの炭水化物を多く含む生ゴミを通常の生ゴミのように乾燥処理して、団子状にコチコチに固まったとしても、生ごみ収納部に水を加え、第２の運転モードを実施すれば、攪拌手段が停止した状態のまま、加熱手段により生ゴミ収納部内を加熱することができ、熱と蒸気で生ゴミ収納部内のコチコチの団子状のゴミが柔らかくなり、撹拌手段を駆動する駆動手段、例えばモータのロックが容易に解除され、次の使用準備が容易にでき、使用性の高い生ゴミ処理機が提供できる。なお、撹拌手段の停止期間は少なくともコチコチの団子状のゴミが柔らかくなるのに必要な加熱時間が必要となる。そして、ゴミが柔らかくなると撹拌手段の停止を解除して運転させても良いので、第２の運転モードとしては、加熱動作開始から遅延させて撹拌手段の停止を解除するようにしても良い。
【００２６】
本発明の請求項１０記載の発明は、生ゴミを収納する生ゴミ収納部と、前記生ゴミを撹拌する撹拌手段と、前記生ゴミを加熱する加熱手段と、前記生ゴミから発生する蒸気の臭いを脱臭する触媒と、前記触媒を加熱する触媒加熱手段と、前記生ゴミから発生した蒸気を前記触媒を介して排出する排出手段と、前記生ゴミ収納部内の温度を検知する温度検出手段と、前記加熱手段、前記撹拌手段、前記触媒加熱手段および排出手段の運転を制御する制御装置を備え、前記制御装置は、前記加熱手段、前記撹拌手段、前記触媒加熱手段および排出手段の全てを運転する第１の運転モードと、前記攪拌手段を停止すると共に前記加熱手段、前記触媒加熱手段および排出手段を運転させる第２の運転モードを有するものである。
【００２７】
上記構成は請求項９記載の発明の構成に加え、前記生ゴミから発生する蒸気の臭いを脱臭する触媒と、前記触媒を加熱する触媒加熱手段と、前記生ゴミから発生した蒸気を前記触媒を介して排出する排出手段を加えただけであるので、請求項９記載の発明と同様の作用効果を奏する。また、第２の運転モード中であっても、加熱手段の他に触媒加熱手段および排出手段も運転するので、コチコチの団子状のゴミを柔らかくする際に生ごみ収納部から発生する蒸気は、排出手段で触媒に送られると共に、触媒加熱手段で活性化された触媒で脱臭されるので、悪臭が機外に漏れ出るのも防止できる。
【００２８】
本発明の請求項１１記載の発明は、請求項９または１０記載の発明において、第２の運転モードの運転時間を使用者が設定する設定手段を有するもので、コチコチの団子状のゴミの量あるいは気温の状況などを使用者が判断して、第２の運転モード時間を設定することができ、使い勝手がよい。
【００２９】
本発明の請求項１２記載の発明は、請求項１乃至１１のいずれか１項に記載の発明において、加熱手段を、生ゴミに送る温風を発生させる温風発生手段としたもので、生ゴミの乾燥能力をたかめることができる。
【００３０】
【実施例】
以下、本発明の一実施例について図１〜図５を用いて説明する。
【００３１】
図１は，生ゴミ処理機の側断面図である。なお，従来例の図６と、同一部材には同一符号を付している。１は乾燥減量したい生ゴミを収納する生ゴミ収納部で、２は生ゴミ収納部１の上部前方に開閉自在に設けた蓋で、この蓋２を開き生ゴミを生ゴミ収納部１内に投入する。生ゴミ収納部１の断面形状は、底部が円弧状をなしており、この円弧状に沿って撹拌手段６の撹拌板４が移動するように、撹拌手段６の攪拌軸３を配している。撹拌手段６は、攪拌軸３と、この攪拌軸３と直交する方向に延びるように取り付けた複数のアーム５と、このアーム５の先端に取り付けた攪拌板４から構成され、さらに複数のアーム５は攪拌軸の軸方向に間隔をおいて取り付けられている。上記生ゴミ収納部１を内蔵する生ゴミ処理機の本体７の底部には、前記攪拌手段６を駆動させる駆動手段であるモータ８を配し、前記モータ８と攪拌軸３はチェーン９で連結され、モータ８の回転力を攪拌軸３に伝達している。
【００３２】
生ゴミ収納部１の上部には、生ゴミ収納部１内の温度を検出する温度検出手段１４が設けられている。同じく生ゴミ収納部１の上部には、生ゴミを加熱する加熱手段１０が設けられている。１２は前記加熱手段１０を下から覆うカバーである。本実施例では、加熱手段１０を、乾燥ファンモータ１３で回転する乾燥ファン１１と、この乾燥ファン１１の下方に配した第１のヒータ１０ａと第２のヒータ１０ｂから構成し、生ゴミ収納部１内の生ごみに各ヒータ１０ａ、１０ｂで加熱された空気を乾燥ファンにより吹き付ける、いわゆる温風発生手段としている。前記温風発生手段により発生した温風が前記カバー１２に設けられてある孔１２ａを通過し生ゴミを乾燥させる。
【００３３】
１８は排気の臭いを脱臭する触媒１９の上流側に設けてある触媒加熱手段である触媒ヒータであり、それらは排出孔１６を有する触媒ケース１７内に配設してある。生ゴミ収納部１内の生ゴミを攪拌手段６で粉砕、攪拌しながら温風発生手段１０により発生する温風で乾燥させる。そして、排出モータ２１により排出ファン２２を回転させ、生ゴミ収納部１から発生する蒸気を触媒ケース１７内を通過させて触媒１９により脱臭するとともに、排出モータ２１と排出ファン２２とからなる排出手段２３を介して排気部２０より排出する。
【００３４】
また、２５は温度検出器１４の出力が設定温度（第１の所定温度）Ｔ１になるように各ヒータ１０ａ、１０ｂを制御する制御装置で、この制御装置２５はモータ８、乾燥ファンモータ１３、排出モータ２１も合わせて制御する。また、制御装置２５は、触媒温度検出器２４の出力により触媒加熱手段１８を制御する。また、制御装置２５は、モータ８の電流を検知する電流検知３０の出力、生ゴミ処理機の本体１の前面上部に設けた操作部２６の出力、温度検知手段１４の出力を入力している。
【００３５】
図２は本実施例の生ゴミ処理機の斜視図で、操作部２６には、通常の生ゴミを処理する時に選択する通常生ゴミ処理ボタン２７と、ご飯などの炭水化物を多く含む生ゴミを処理する時に選択するご飯処理ボタン２８を各々有すると共に、運転を停止させる時に操作する停止ボタン２９を配している。
【００３６】
上記のように構成された生ゴミ処理機の動作、作用について以下説明する。
【００３７】
生ゴミをまず蓋２を開けて生ゴミ収納部１へ投入し蓋２を閉める。そして、操作部２６の通常生ゴミ処理ボタン２７またはご飯処理ボタン２８を操作すると、制御装置２５は生ゴミ処理機の乾燥処理運転を開始する。つまり、制御装置２５は、モータ８、第１のヒータ１０ａ、第２のヒータ１０ｂ、乾燥ファンモータ１３、触媒加熱手段１８に通電する。すると、攪拌軸３および乾燥ファン１１が回転し、温風が孔１２ａを通って循環し生ゴミ収納部１内の生ゴミを加熱乾燥させると共に、撹拌手段６による撹拌動作が行われる。
【００３８】
ここで、ご飯処理ボタン２８を選択した場合（ご飯などの炭水化物を含む物が処理する生ゴミの４０％以上含まれている場合）の運転開始から乾燥終了までのタイムチャートを図３に、通常生ゴミ処理ボタン２７を選択した場合の運転開始から乾燥終了までのタイムチャートを図４に示す。
【００３９】
ご飯処理ボタン２８を選択した場合、制御装置２５は、運転を開始時、第１のヒータ１０ａ、第２のヒータ１０ｂおよび乾燥ファンモータ１３に通電し、温度検知手段１４の出力で生ゴミ収納部１内の温度が第１の所定温度Ｔ１になるように第２のヒータ１０ｂをオン、オフし、加熱量を制御する。特に、本実施例では、第１のヒータ１０ａはオン状態を維持し、第２のヒータ１０ｂをオン、オフしている。そして、蒸気が多く発生する第１の加熱期間では、第１のヒータ１０ａの加熱量だけでは生ゴミ収納部１内の温度が第１の所定温度Ｔ１を維持することができないので、温度検知手段１４の出力が第１の所定温度Ｔ１より低下すると第２のヒータ１０ｂをオンし、また、温度検知手段１４の出力が第１の所定温度Ｔ１以上になると第２のヒータ１０ｂをオフする。また、制御装置２５は、運転開始時に触媒加熱手段１８に通電し、触媒温度検出手段２４の出力で触媒１９が所定温度になるように触媒加熱手段１８の加熱量を制御する。さらに、運転開始時から排出モータ２１に通電して、排出手段２３を運転する。
【００４０】
そして、第１のヒータ１０ａ、第２のヒータ１０ｂおよび乾燥ファンモータ１３による温風で生ゴミが乾燥してくると、生ゴミから発生する蒸気量が減少し、第２のヒータ１０ｂの加熱量は徐々に少なくてすむようになる。すなわち、第２のヒータ１０ｂのオン時間よりオフ時間が長くなるようになり、オフ時間ｔが所定時間ｔ２以上になる。
【００４１】
制御装置２５は、第２のヒータ１０ｂのオフ時間ｔを計測しており、このオフ時間ｔが所定時間ｔ２以上になると第１の加熱期間を終了する。その後、第２の所定温度Ｔ２になるまで、第１のヒータ１０ａはオンしつつ、第２のヒータ１０ｂをオフし、通常の生ゴミ処理時（第１のヒータ１０ａおよび第２のヒータ１０ｂをオン）の加熱量より少ない状態で加熱する。そして、制御装置２５は、温度検知手段１４の出力が第２の所定温度Ｔ２に到達すると、運転を停止し、第２の加熱期間を終了する。
【００４２】
なお、操作部２６に上述した所定時間ｔ２を変更できる変更手段を設けておけば、使用者がその変更手段により所定時間ｔ２を変更することで、第１の加熱期間の長さを調整できる。例えば、所定時間ｔ２を長くすれば第１の加熱期間は長くなり、逆に所定時間ｔ２を短くすれば第１の加熱期間は短くなる。したがって、処理する生ゴミに占める炭水化物の割合に応じて所定時間ｔ２を調整することできめ細かな乾燥処理が行える。
【００４３】
また、モータ８の電流検知手段３０の出力を制御装置２５にて検出し、前記電流検知手段３０の出力が所定値より大きくなると、生ゴミにご飯類が多いと判断し、制御装置２５は自動的に図３に示すような乾燥処理を行うようにしてもよい。この場合、操作部２６にあえて通常生ゴミ処理ボタン２７またはご飯処理ボタン２８を設ける必要がない。
【００４４】
次に、通常生ゴミ処理ボタン２７を選択して生ゴミを処理すると、生ゴミが乾燥して徐々に発生する蒸気が減少してくる。制御装置２５は、第２のヒータ１０ｂのオフ時間ｔが所定時間ｔ３（ｔ３＜ｔ２）より長くなると、第２の所定温度Ｔ２になるまで、第１のヒータ１０ａおよび第２のヒータ１０ｂをオンし、ご飯など炭水化物が多く含まれる生ゴミの処理の場合よりも大きい加熱量で加熱し短時間で第２の設定温度Ｔ２へ到達する。
【００４５】
このように、ご飯類など炭水化物が多く含まれる生ゴミの場合と通常の生ゴミの場合とでは、所定時間を変更している。つまり、通常の生ゴミの場合には第１の加熱期間がご飯類など炭水化物が多く含まれる生ゴミの場合の第１の加熱期間よりも短くなるように、所定時間ｔ３＜所定時間ｔ２としている。言い換えれば、ご飯類など炭水化物が多く含まれる生ゴミの場合には第１の加熱期間を通常の生ゴミの場合より長くすることで、炭水化物が多く含まれる生ゴミでも、十分に乾燥させるとともに、生ゴミ収納部１内の温度がＴ１からＴ２へ変化する際、撹拌手段６で長時間撹拌されて団子状にならない使用性の高い生ゴミ処理機が提供できる。
【００４６】
また、前記制御装置２５には、万一ご飯類の多い生ゴミを処理して、団子状にコチコチに固まった状態で乾燥処理が終了した場合において、通常に生ゴミを乾燥させて処理する（前記攪拌手段６と、前記温風発生手段１０と、前記触媒加熱手段１８と、排出手段２３とを運転させる）第１の運転モードと、前記攪拌手段６を停止し、前記温風発生手段１０と、前記触媒加熱手段１８と、排出手段２３とを運転させる第２の運転モードを有している。そして、万一ご飯の多い生ゴミを処理して団子状にコチコチに固まったとしても、生ゴミ収納部１内に水を追加し、図５に示すような攪拌手段６（モータ８）が停止した状態で運転すると、熱と蒸気で生ゴミ収納部１内のコチコチの団子状のゴミが柔らかくなり、攪拌軸３を回すモータ８のロックが容易に解除され、次の使用準備が容易にでき、使い勝手のよい生ゴミ処理機が提供できる。また、使用者が本体７に設けられた選択スイッチ（図示せず）にて、ゴミの硬さ具合に応じて、前記攪拌手段６が停止した状態で運転する運転時間を設定できることで、さらに生ゴミ処理機の使用性は向上する。
【００４７】
【発明の効果】
本発明の請求項１記載の発明によれば、ご飯などの炭水化物を多く含む生ゴミでも十分に乾燥され、団子状にならない使用性の高い生ゴミ処理機が提供できる。
【００４８】
本発明の請求項２および３記載の発明によれば、第１の加熱期間の終了タイミングを検出でき、乾燥し過ぎを防止できる。
【００４９】
本発明の請求項４記載の発明によれば、炭水化物を多く含む生ゴミ処理時には、乾燥ゴミが団子状になるのを防止でき、通常の生ゴミ処理時は短時間処理が可能な生ゴミ処理機が提供できる。
【００５０】
本発明の請求項５および６記載の発明によれば、生ゴミを加熱乾燥する第１の加熱期間を長くでき、ご飯などの炭水化物が多く含まれる生ゴミでも十分に乾燥され、団子状にならない使用性の高い生ゴミ処理機が提供できる。
【００５１】
本発明の請求項７記載の発明によれば、生ゴミを加熱乾燥する時間が長くでき、ご飯類の多い生ゴミでも十分に乾燥され、団子状にならない使用性の高い生ゴミ処理機が提供できる。
【００５２】
本発明の請求項５および６記載の発明によれば、ご飯類が多いと前記駆動手段の電流値が大きくなることを利用して、ご飯類の多い生ゴミでも十分に乾燥される運転モードに変更でき、ご飯類の多い生ゴミでも団子状にならない、使用性の高い生ゴミ処理機が提供できる。
【００５３】
本発明の請求項７記載の発明によれば、ご飯などの炭水化物を多く含む生ゴミなのか、通常の生ゴミなのかを判別する。
【００５４】
本発明の請求項８記載の発明によれば、ご飯などの炭水化物を多く含む生ゴミなのか、通常の生ゴミなのかを判別し、その結果により第１の加熱期間の長さを変えることができる。
【００５５】
本発明の請求項９記載の発明によれば、万一ご飯の多い生ゴミを処理して団子状にコチコチに固まったとしても、生ゴミ収納部内のコチコチの団子状のゴミを柔らかくでき、次の使用準備が容易にでき、使用性の高い生ゴミ処理機が提供できる。
【００５６】
本発明の請求項１０記載の発明によれば、生ゴミ収納部内のコチコチの団子状のゴミを柔らかくするための第２の運転モードにおいても、機外に悪臭が漏れるのを防止できる。
【００５７】
本発明の請求項１１記載の発明によれば、生ゴミ収納部内のコチコチの団子状のゴミを柔らかくするための第２の運転モード時間を設定することができ、使い勝手がよい。
【００５８】
本発明の請求項１２に記載の発明によれば、生ゴミに送る温風を発生させる温風発生手段を構成したもので、生ゴミの乾燥能力を大きくするものである。
【図面の簡単な説明】
【図１】本発明の一実施例を示す生ゴミ処理機の側断面図
【図２】同生ゴミ処理機の内部を透視した斜視図
【図３】同生ゴミ処理機のご飯処理ボタン選定時のタイムチャート
【図４】同生ゴミ処理機の通常生ゴミ処理ボタン選定時のタイムチャート
【図５】同生ゴミ処理機の団子状に固まった状態を復帰させるタイムチャート
【図６】従来の生ゴミ処理機の側断面図
【図７】同生ゴミ処理機のタイムチャート
【符号の説明】
１    生ゴミ収納部
６    攪拌手段
８  モータ（撹拌駆動手段）
１０    加熱手段（温風発生手段）
１４    温度検知手段
１８    触媒加熱手段
１９    触媒
２３    排出手段
２５    制御装置
３０    電流検知手段
【図１】
0004635322.tif 000002
【図２】
0004635322.tif 000003
【図３】
0004635322.tif 000004
【図４】
0004635322.tif 000005
【図５】
0004635322.tif 000006
【図６】
0004635322.tif 000007
【図７】
0004635322.tif 000008